(57)【要約】【課題】  従来のボックスタイプのティッシュペーパーと同様の使い勝手が得られるとともに製造も簡単で安価に提供が可能なポケットティッシュを提供する。【解決手段】  ボックスタイプ規格の大きさに折り畳んで積層させた複数枚のティッシュペーパー１１の束からなるティッシュペーパー本体１２がそのままの状態で平形の外包袋２に収容されており、外包袋２がその内面２４の中央部に収容したティッシュペーパー１１を摘んで取り出し可能な取出口２５が形成されているとともに内面２４側へ向けて開閉可能に且つ取出口２５を塞ぐ形で重ねて折り畳み可能なものとする。【選択図】図１
0003134923.tif 000002
【実用新案登録請求の範囲】
【請求項１】
ボックスタイプ規格の大きさに折り畳んで積層させた複数枚のティッシュペーパーの束からなるティッシュペーパー本体が、そのままの状態で平形の外包袋に収容されており、前記外包袋がその内面の中央部に前記収容したティッシュペーパーを摘んで取り出し可能な取出口が形成されているとともに内面側へ向けて開閉可能に且つ前記取出口を塞ぐ形で重ねて折り畳み可能であることを特徴とするポケットティッシュ。
【請求項２】
前記ティッシュペーパー本体がポップアップ式に折り畳んである請求項１記載のポケットティッシュ。
【請求項３】
前記外包袋またはティッシュペーパー本体の少なくとも一方に前記外包袋における内面側へ向けて折り畳み可能な折れ目が形成されている請求項１または２記載のポケットティッシュ。
【請求項４】
前記外包袋の一部に前記ティッシュペーパー本体の挿入口が形成されている請求項１，２または３に記載のポケットティッシュ。
【請求項５】
前記外包袋の折り畳み片における内面または外面の少なくとも一方に折り畳んだ外包袋の折畳片を互いに脱着可能に接着させるための粘着材が付設されている請求項１，２，３または４に記載のポケットティッシュ。
【請求項６】
前記外包袋の内面または外面の少なくとも一方にデザイン等の表示部を形成した請求項１，２，３，４または５に記載のポケットティッシュ。
【考案の詳細な説明】
【技術分野】
【０００１】
本考案は、ティッシュペーパーや柔軟紙などに各種の液体を湿潤させた拭き取りペーパーを携行可能とした所謂、ポケットティッシュに関するものである。
【背景技術】
【０００２】
従来、所定のボックスタイプ規格の大きさに折り畳んで箱に収納したティッシュペーパーが知られており、これらのボックスタイプ規格のティッシュペーパーは、収納されているティッシュペーパーの大きさが充分で使用に適しているばかりか、ポップアップ式の折り畳みが可能であることもあって摘み取ったままの状態で順次使用することができることからきわめて使い勝手がよい。また、ティッシュペーパーの品質を落とすことなく、収納枚数当たりの収納ボックスの高さを押さえたものが特開２００３−１５９１９３号公報などに提示されている。
【０００３】
ところが、前記ボックスタイプのティッシュペーパーは使い勝手は良いが、全体として嵩張ることから箱を薄くしたとしても携行に向かない。
【０００４】
そこで、従来、ボックスタイプのティッシュペーパーとほぼ同様のサイズのティッシュペーパーを例えば６等分の大きさに折り畳んで柔軟シートにより形成される外包袋に収納することにより携行可能としたポケットティッシュが広く使用されており、特に、広告紙を挟入させたり、外包袋に広告を印刷したものは宣伝用に配布などされている。
【０００５】
しかしながら、前記従来のポケットティッシュは、小さく折り畳まれていることから外包袋から取り出した後に拡げて使用することが必要で煩わしい。また、外包袋は、中央部に開閉部を形成して一度に複数枚のティッシュペーパーを取り出すことができるように考えられているが、各ティッシュペーパーはそれぞれが折り畳まれているので一枚ずつ取り出したティッシュペーパーを一々拡げて、しかも重ねて使用することになり使い勝手が悪い。
【０００６】
ポケットティッシュは、また、ティッシュペーパーを外包袋から抜き取ったときにその下側に折り畳んで収納されている次のティッシュペーパー部が取出口から突出する所謂、ポップアップ式でないことから次回に取り出す際に不便でもある。
【０００７】
そこで、特開平１０−１７４６６３号公報、実用新案登録第３１０７２３４号公報や特開２００７−１６２２号公報 などに取り出しに便利なポケットティッシュが提示されているが、何れも折り込みが複雑であることから製造が容易でないばかりか収納してあるティッシュペーパーのサイズが小さく、或いは大きいものはポケットサイズに折り畳まれていることから一枚ずつ拡げることに変わりなく、何れの場合も使い勝手が悪いなどの問題がある。
【特許文献１】特開２００３−１５９１９３号公報
【特許文献２】特開平１０−１７４６６３号公報
【特許文献３】実用新案登録第３１０７２３４号公報
【特許文献４】特開２００７−１６２２号公報
【考案の開示】
【考案が解決しようとする課題】
【０００８】
本考案は、上記のような問題点を解決するためになされたものであり、従来のボックスタイプのティッシュペーパーと同様の使い勝手が得られるとともに製造も簡単で安価に提供が可能なポケットティッシュを提供することを課題とする。
【課題を解決するための手段】
【０００９】
前記課題を解決するためになされた本考案であるポケットティッシュは、ボックスタイプ規格の大きさに折り畳んで積層させた複数枚のティッシュペーパーの束からなるティッシュペーパー本体が、そのままの状態で平形の外包袋に収容されており、前記外包袋がその内面の中央部に前記収容したティッシュペーパーを摘んで取り出し可能な取出口が形成されているとともに内面側へ向けて開閉可能に且つ前記取出口を塞ぐ形で重ねて折り畳み可能であることを特徴とする。
【００１０】
以上の構成を有する本考案によれば、外包袋に収容されているボックスタイプ規格の大きさに折り畳んで積層させた複数枚のティッシュペーパーの束からなるティッシュペーパー本体が、そのままの状態で展開させたときにボックスとほぼ同程度の平面形状を有する柔軟シートからなる外包袋に収容されているので、ボックスタイプのティッシュペーパーと同様の使い勝手が得られる。
【００１１】
内面側へ向けて開閉可能に且つ前記取出口を塞ぐ形で重ねて折り畳み可能としたことにより、全体の大きさをポケットティッシュのように携行に適した大きさに対応した。
【００１２】
また、前記ティッシュペーパー本体がポップアップ式に折り畳んである場合には順次取り出すことができ、前記外包体に内面側へ向けての折れ目が形成されている場合には外包体を柔軟な素材より形成しない場合にも折り畳み易く、ティッシュペーパー本体に前記外包袋における内面側へ向けての折れ目を形成した場合には、折り畳み易くなる。
【００１３】
更に、前記外包袋の一部に前記ティッシュペーパー本体の挿入口が形成されている場合には、必要であれば、ボックスタイプ用のティッシュペーパーを空の外包袋に差し込むことにより詰め替えて家庭用又は携行用として使用することもできる。
【００１４】
更にまた、前記外包袋の折り畳み片における内面または外面の少なくとも一方に折り畳んだ外包袋の折畳片を互いに脱着可能に接着させるための粘着材が付設されている場合には、折り畳んだ状態が維持されることから携行時に展開することがなく、また、少なくとも外面に粘着剤が付設している場合には、使用時に展開したとき、外面の一部が例えばテーブルなどの表面に固定されるので片手で取り出し易い。
【００１５】
加えて、内面並びに外面ともに従来のポケットティッシュに比べて面積が広いので、デザイン等の表示部が増え、高い宣伝効果も期待することができる。
【考案の効果】
【００１６】
本考案は、従来のボックスタイプのティッシュペーパーと同様の使い勝手が得られるとともに製造も簡単で安価に提供が可能なポケットティッシュを提供することができる。
【考案を実施するための最良の形態】
【００１７】
次に、図面を参照して本考案を実施するための最良の形態を説明する。
【００１８】
図１は本考案における最良の実施の形態の一例を示すものであり、ポケットティッシュ１は、従来のポケットティシュと同様に、折り畳んで積層させた複数枚のティッシュペーパー１１の束からなるティッシュペーパー本体１２と、このティッシュペーパー本体１２を収納する例えばポリ塩化ビニル、ポリエチレン、ポリプロピレン、ポリエステルなどの柔軟シートからなる平形筒状の外包袋２とから構成される。
【００１９】
そして、前記ティッシュペーパー本体１２は、図２に示すように、一般にボックスタイプのティッシュペーパー１０に用いられている規格の大きさ（例えば２５０×１２０ｃｍ程度の面積、図示せず）と同程度の大きさを有する横長状で例えば１０〜２０枚程度のティッシュペーパー１１を折り畳んで積層させた束からなり、且つ２枚ずつが一対となってポップアップ式に折り畳まれている。特に、後述の外包袋２の折り畳みに際して折り畳みを容易にするためにはティッシュペーパー本体１２自身にも予め折り畳み箇所に例えばミシン目などにより折れ目１３，１３を形成しておくとよい。
【００２０】
また、前記ティッシュペーパー本体１２を収容する外包袋２は、従来のポケットティッシュと同様に例えば図３乃至図５に示すように前記各種の合成樹脂シートからなる帯状の外包袋用資材２１でティッシュペーパー本体１２を巻回して後切断し、両横の端縁２２，２２を熱溶着や接着することにより袋状に形成されるが、この形成手段に限らず、例えば図６に示すように予め一端に開口部２３を形成した袋状に形成しておき、前記開口部２３を介してティッシュペーパー本体１２を挿入して、開口部２３を従来周知である溶着や接着などの適宜の手段により閉塞するなどの他の形成手段を用いてもよい。
【００２１】
更に、外包袋２の内面２４における中央部に前記収容したティッシュペーパー１１を摘んで取り出し可能な取出口２５を形成し、例えば、ティッシュペーパー１１が清浄剤などを含浸させてある場合にはテープ状の水密性能を有する開閉部材２６を付設しておく。
【００２２】
そして、前記ティッシュペーパー本体１を外包袋２に収容した本実施の形態であるポケットティッシュ３は図７乃至９に示すように、横幅をほぼ１／３に区切った部分において内面２４側に３つ重ねに折り畳まれている。また、本実施の形態では外包袋２の外面２７の一部に粘着材３が付設されており、この粘着材３が付設されている側の折畳片２８を始めに折り畳むことにより、粘着材３が次に折り畳む折畳片２９と折畳片２８とを互いに脱着可能に接着するのでポケットサイズに折り畳まれて且つ折り畳んだ状態を保持したポケットティッシュ１を得ることができる。
【００２３】
以上の構成を有する本実施の形態であるポケットティッシュ１は、必要であれば、折り畳む前に、外包袋２の内面２４や外面２７に予めデザインや宣伝の表示を印刷などにより表示しておくとよく、また、従来のポケットティッシュと同様にチラシを挿入してもよい（図示せず）。更に、必要であれば折り畳んだ状態のポケットティッシュ１を包装シートなどを用いて包装してもよい。
【００２４】
そして、本実施の形態であるポケットティッシュ１は、図１に示した展開した状態、或いは図９に示したような折り畳んだ状態で従来のポケットティッシュと同様に段ボール箱などに収容されて運搬、保管等される。
【００２５】
本実施の形態を使用するには、図９に示した折り畳んだ状態で、従来のポケットティッシュと同様にポケットやハンドバックなどに入れて携行する。
【００２６】
そして、使用するときには、図１に示した状態に展開して中央の取出口２５から従来のボックスタイプのティッシュペーパーと同様に収容されているボックスタイプのティッシュペーパーと同様の大きさのティッシュペーパー１１を摘んでポップアップ式に取り出すことができ、従来の比較的小型のものを一枚ずつ広げて使用するポケットティッシュと異なり、きわめて使い勝手がよい。
【００２７】
尚、本実施の形態では、外包袋に収容されているボックスタイプ規格の大きさに折り畳んで積層させた複数枚のティッシュペーパー１１の束からなるティッシュペーパー本体１２を用いているので、従来、ボックスタイプ用に製造されているティッシュペーパー１１の束からなるティッシュペーパー本体１２をそのまま使用することができることからきわめて生産性に優れ、経済的にも有利である。また、例えば図１０に示すように外包袋２に耐久性を持たせるとともに、市販のボックスタイプ用に製造されているティッシュペーパー１１を必要な分だけ挿入口３０を介して詰めることにより、再使用が可能であり、特に携行しないときは家庭用としても使用することができる。
【００２８】
また、本実施の形態では、外包袋２の外面に粘着材３を敷設したことにより携行時に展開することがなく、また、使用時には、粘着材３を用いて例えばテーブルや化粧台などに固定させることが可能であり、片手でティッシュペーパー１１を取り出せるなど使い勝手がよい。
【００２９】
更に、本実施の形態では外包袋２を３つ折りにしたが折り畳み方はこれに限るものでなく、例えば図１１に示した二つ折りなど折り畳んだときにポケットに収容可能な大きさで、展開したときにボックスタイプのティッシュペーパーと同様の大きさに拡げられればよい。特に、外包袋２を柔軟な素材により形成した場合などは任意の箇所において折り畳みが可能であり、使用時において携行手段に合わせて選択した大きさに適宜折り畳むこともできる。尚、本考案は、外包袋２を例えば厚紙のような柔軟でない素材により形成した場合も実施可能であり、その場合には外包袋２に予め折り目を形成しておくとよい（図示せず）。
【００３０】
更にまた、前記実施の形態では、ティッシュペーパー１１として清浄剤などを含浸させてあるものを用いた場合を示したたことから取出口２５に水密性能を有する開閉部材２６を付設したものとしたが、通常のティッシュペーパー１１を用いる場合には図１２に示した実施の形態に示したように、例えば切れ目からなる取出口２５を設ければ足りる。また、切れ目からなる取出口２５は例えばミシン目のように未使用時には開封せずに使用時に容易に開放できるものが好ましい。
【図面の簡単な説明】
【００３１】
【図１】本考案における最適な実施形態の展開した状態を示す斜視図。
【図２】図１に示した実施の形態に使用するティッシュペーパー本体１２を示す斜視図。
【図３】図１に示した実施の形態の製造工程の一部を示す説明図。
【図４】図１に示した実施の形態の製造工程の一部を示す説明図。
【図５】図１に示した実施の形態の製造工程の一部を示す説明図。
【図６】本考案の異なる実施の形態を示す斜視図。
【図７】図１に示した実施の形態の折り畳む工程の一部を示す説明図。
【図８】図１に示した実施の形態の折り畳む工程の一部を示す説明図。
【図９】図１に示した実施の形態の折り畳む工程の一部を示す説明図。
【図１０】本考案の異なる実施の形態を示す斜視図。
【図１１】本考案の異なる実施の形態を示す斜視図。
【図１２】本考案の異なる実施の形態を示す斜視図。
【符号の説明】
【００３２】
１  ポケットティッシュ、２  外包袋、３  粘着材、１１  ティッシュペーパー、１２  ティッシュペーパー本体、１３  折り目、２３  開口部、２４  内面、２５  取出口、２６  開閉部、２７  外面、３０  挿入口
【図１】
0003134923.tif 000003
【図２】
0003134923.tif 000004
【図３】
0003134923.tif 000005
【図４】
0003134923.tif 000006
【図５】
0003134923.tif 000007
【図６】
0003134923.tif 000008
【図７】
0003134923.tif 000009
【図８】
0003134923.tif 000010
【図９】
0003134923.tif 000011
【図１０】
0003134923.tif 000012
【図１１】
0003134923.tif 000013
【図１２】
0003134923.tif 000014